(57)【要約】【課題】光ファイバを利用した通信経路を短縮し、光エネルギーの減衰を抑制するとともに、異なる仕様のコネクタ、ソケットに対応できるデュプレックス式光信号送受信モジュールを提供する。【解決手段】中空の本体と、該本体の垂直に直交する両面にそれぞれ設ける光信号受信モジュールと及び光信号送信モジュールと、該本体内に設ける光学レンズと、円柱の中心を軸方向に貫通するように光ファイバを設けてなり、該本体に嵌挿する位置決め柱体とによって構成し、該本体の一方の端面にソケットを連結するため固定座を一体に形成する。【選択図】図２
0003099289.tif 000002
【実用新案登録請求の範囲】
【請求項１】
中空の本体と、該本体の垂直に直交する両面にそれぞれ設けられる光信号受信モジュールと、及び光信号送信モジュールと、該本体内の該光信号受信モジュールと、光信号送信モジュールの焦点の位置に設けられる光学レンズと、円柱の中心を軸方向に貫通するように光ファイバを設けてなり、該本体内に嵌挿される位置決め柱体とによってなるデュプレックス式光信号送受信モジュールにおいて、
該本体の一方の端面にソケットを連結するため固定座を一体に形成することを特徴とするデュプレックス式光信号送受信モジュール。
【請求項２】
前記固定座に連結孔を穿設し、リベットを該連結孔に挿通させて該固定座とソケットとをかしめることを特徴とする請求項１に記載のデュプレックス式光信号送受信モジュール。
【考案の詳細な説明】
【０００１】
【考案の属する技術分野】
この考案は、デュプレックス式光信号送受信モジュールに関し、特に光通信設備との間に通信経路を構成する光ファイバの一端に設けたコネクタを挿入して光信号の送受信を行うデュプレックス式光信号送受信モジュールに関する。
【０００２】
【従来の技術】
目下、光ファイバを利用した通信システムにおいては、すでにレーザダイオードが光源として応用されている。レーザダイオードは、パッケージ工程において加工し、レーザダイオード素子として利用される。即ち、図１に開示するように通常レーザダイオード素子は、金属材によってなるハウジング（２）内に溶着され、光信号送信モジュール（１）を構成する。かかる光信号送信モジュール（１）は、レーザダイオード素子を受光素子に変更すると、光信号受信モジュール（７）になる。
該ハウジング（２）の内部には光学レンズが設けられ、該光学レンズの両表面には、それぞれ屈折率の異なる媒体を蒸着させる。よって、レーザダイオードから照射される光線は、光学レンズによって光ファイバにカップリングされ、逆に受信する光線は全反射して受光素子に至る。
【０００３】
また、該ハウジング（２）の一端は、光ファイバ（３）を介して、該光ファイバ（３）の他端に接続する光ファイバコネクタ（４）に接続する。該光ファイバコネクタ（４）の他端はソケット（５）に挿入し、該ソケット（５）の他端には光通信用設備に接続する光ファイバコネクタ（６）を挿入して通信経路を構成する。
【０００４】
従来のデュプレックス式光信号送受信モジュールは、上述のように複数の構成部を配線して通信経路を構成し、かかる通信経路を介してレーザダイオードから照射される光線が、光通信用設備に接続する光ファイバのコアにファーカスされる。即ち、上述の通信経路は、レーザダイオードと光通信用設備に接続する光ファイバとの間のカップリング距離が冗長になり、光エネルギーの減衰を招く。このため、光通信の好ましい特性に影響を与え、実際に使用する場合不便となるのみならず、延いては設備のコスト、もしくはランニングコストを増加させることにもなる。
【０００５】
また、ハウジング（２）には、単一の仕様の光ファイバコネクタしか接続できない。但し、光ファイバコネクタには、一般的なタイプにＳＣコネクタ、ＳＴコネクタ、ＦＣコネクタなどがあり、小型のタイプとしてはＬＣコネクタ、ＭＵコネクタなどと仕様が多種多様であるため、ハウジング（２）の仕様をそれぞれのコネクタに合わせて製造しなければならない。これは極めて不便なことであり、在庫の発生と製造コストの増加に繋がる。
【０００６】
【考案が解決しようとする課題】
この考案は、光ファイバを利用した通信経路を短縮し、光エネルギーの減衰を抑制することのできるデュプレックス式光信号送受信モジュールを提供することを課題とする。
【０００７】
また、この考案は、異なる仕様の光ファイバコネクタ、及びソケットに対応できるデュプレックス式光信号送受信モジュールを提供することを課題とする。
【０００８】
【課題を解決するための手段】
そこで、本考案者は従来の技術に見られる欠点に鑑み鋭意研究を重ねた結果、一方の端面にソケットを連結するための固定座を一体に形成してなる中空の本体と、該本体の垂直に直交する両面にそれぞれ設けられる光信号受信モジュール及び光信号送信モジュールと、該本体内に設けられる光学レンズと、円柱の中心を軸方向に貫通するように光ファイバを設けてなり、該本体内に嵌挿する位置決め柱体とによってなるデュプレックス式光信号送受信モジュールの構造によって本考案の課題を解決できる点に着眼し、かかる知見に基づいて本考案を完成させた。
【０００９】
以下、この発明について具体的に説明する。
請求項１に記載するデュプレックス式光信号送受信モジュールは、中空の本体と、該本体の垂直に直交する両面にそれぞれ設けられる光信号受信モジュールと、及び光信号送信モジュールと、該本体内の該光信号受信モジュールと、光信号送信モジュールの焦点の位置に設けられる光学レンズと、円柱の中心を軸方向に貫通するように光ファイバを設けてなる位置決め柱体とによってなるデュプレックス式光信号送受信モジュールであつて、該本体の一方の端面にソケットを連結するための固定座を一体に形成する。
【００１０】
請求項２に記載するデュプレックス式光信号送受信モジュールは、請求項１における固定座に連結孔を穿設し、リベットを該連結孔に挿通させて該固定座とソケットとをかしめる。
【００１１】
【考案の実施の形態】
この考案は、光通信設備との問に通信経路を構成する光ファイバの一端に設けたコネクタを挿入して光信号の送受信を行うデュプレックス式光信号送受信モジュールを提供するものであって、一方の端面にソケットを連結するための固定座を一体に形成してなる中空の本体と、該本体の垂直に直交する両面にそれぞれ設けられる光信号受信モジュール及び光信号送信モジュールと、該本体内に設けられる光学レンズと、円柱の中心を軸方向に貫通するように光ファイバを設けてなり、該本体内に嵌挿する位置決め柱体とによって構成する。
かかるデュブレックス式光送受信モジュールの構造と特徴を詳述するために、具体的な実施例を挙げ、図示を参照にして以下に詳述する。
【００１２】
【実施例】
図２、図３に、この考案によるデュプレックス式光信号送受信モジュール（１０）を開示する。図面によれば、デュプレックス式光信号送受信モジュール（１０）は、光信号受信モジュール（２１）と、光信号送信モジュール（２１１）を具える中空の本体（２０）を有し、該光信号受信モジュール（２１）と、光信号送信モジュール（２１１）は、本体（２０）の垂直に直交する両面にそれぞれ設けられる。また、本体（２０）の内部空間を光線が通過する通路（２２）とし、該通路（２２）は本体（２０）の光信号送信モジュール（２１１）に対向する面の開口部から光信号受信モジュール（２１）と、光信号送信モジュール（２１１）とにそれぞれ連通する。さらに、該通路（２２）には、光信号受信モジュール（２１）と、光信号送信モジュール（２１１）との焦点の位置に光学レンズ（２３）を設ける。光学レンズ（２３）は、両面に屈折率の異なる媒体をそれぞれ蒸着する。よって、光信号送信モジュール（２１１）に内設するレーザダイオード（２４）から照射される光線は、光学レンズ（２３）を通過して光ファイバ（２７）にカップリングし、逆に光ファイバ（２７）から送信される光信号は、光学レンズ（２３）によって光信号受信モジュール（２１）に内設する受光素子（２５）に全反射される。
【００１３】
また、該通路（２２）には、本体（２０）の一方の端面の開口部から円柱状の位置決め柱体（２６）を嵌挿する。該位置決め柱体（２６）はセラミック材によってなり、内部には円柱の中心を軸方向に貫通するように光ファイバ（２７）を設け、光信号送信モジュール（２１１）から送信される光信号のカップリング、もしくは光信号受信モジュール（２１）への光信号の送信に供する。
【００１４】
本体（２０）の開口部を形成する端面には、図４に開示するようにソケット（３０）を連結するための接続孔（２９）を穿設してなる固定座（２８）を一体に形成する。図４に開示するソケット（３０）は、ＳＣコネクタ接続用のソケットであって、一端が光通信用設備に接続する光ファイバのコネクタを直接挿入することができる。よって、光エネルギーの減衰を抑制することができるとともに、従来の技術に見られるソケット（５）を利用した配線（ジャンパ線も含め）を省くことができる。
【００１５】
図５に、この考案によるデュプレックス式光信号送受信モジュール（１０）にＦＣコネクタ接続用ソケット（４０）を連結した実施態様を開示する。また、図６は、ＳＴコネクタ接続用ソケットを連結した実施態様であって、図７はその断面図である。図７に開示するように、デュプレックス式光信号送受信モジュール（１０）とソケットは、中空リベット（５１）でかしめる。状況に応じて、固定ボルトを中空リベット（５１）　の中空部（５２）に挿通させて、デュプレックス式光信号送受信モジュール（１０）を基材などに固定することもできる。
【００１６】
図８は、ＬＣコネクタ接続用ソケット（６０）を連結した例であって、図９はＭＵコネクタ接続用ソケットを連結した例である。
【００１７】
上述の構造によるデュプレックス式光信号送受信モジュールは、異なる仕様のコネクタ接続用ソケットを連結することができるため、製造コストを低減させることができるとともに、光源と光ファイバ、もしくは受光素子と光ファイバとのカップリング効率を高めることができ、光通信システム全体の機能を高めることができる。
【００１８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【００１９】
【考案の効果】
この考案によるデュプレックス式光信号送受信モジュールは、光通信用設備との間の通信経路を短縮し、余剰のコネクタ、ジャンパ線、もしくはソケットなどを省くことができるとともに、光エネルギーの減衰を抑制し、光信号のカップリング効果を高める効果を有する。
【図面の簡単な説明】
【図１】従来のデュプレックス式光信号送受信モジュールとコネクタ、ソケットを利用して構成する通信経路の説明図である。
【図２】この考案によるデュプレックス式光信号送受信モジュールの斜視図である。
【図３】図２に開示する３−３線に沿った断面図である。
【図４】図２に開示するデュプレックス式光信号送受信モジュールにＳＣコネクタ接続用ソケットを連結した状態を表わす斜視図である。
【図５】図２に開示するデュプレックス式光信号送受信モジュールにＦＣコネクタ接続用ソケットを連結した状態を表わす斜視図である。
【図６】図２に開示するデュプレックス式光信号送受信モジュールにＳＴコネクタ接続用ソケットを連結した状態を表わす斜視図である。
【図７】図６に開示するＳＴコネクタ接続用ソケットを連結したデュプレックス式光信号送受信モジュールの断面図である。
【図８】図２に開示するデュプレックス式光信号送受信モジュールにＬＣコネクタ接続用ソケットを連結した状態を表わす斜視図である。
【図９】図２に開示するデュプレックス式光信号送受信モジュールにＭＵコネクタ接続用ソケットを連結した状態を表わす斜視図である。
【符号の説明】
１　光信号送信モジュール
２　ハウジング
３　光フアイバ
４　光ファイバコネクタ
５　ソケット
６　光ファイバコネクタ
７　光信号受信モジュール
１０　デュプレックス式光信号送受信モジュール
２０　本体
２１　光信号受信モジュール
２１１　光信号送信モジュール
２２　通路
２３　光学レンズ
２４　レーザダイオード
２５　受光素子
２６　位置決め柱体
２７　光フアイバ
２８　固定座
２９　接続孔
３０　ソケット
４０　ＦＣコネクタ接続用ソケット
５１　中空リベット
５２　中空部
６０　ＬＣコネクタ接続用ソケット
【図１】
0003099289.tif 000003
【図２】
0003099289.tif 000004
【図３】
0003099289.tif 000005
【図４】
0003099289.tif 000006
【図５】
0003099289.tif 000007
【図６】
0003099289.tif 000008
【図７】
0003099289.tif 000009
【図８】
0003099289.tif 000010
【図９】
0003099289.tif 000011